(57)【要約】      （修正有）【課題】画用紙を容易に取り外すことができ、取り外した画用紙の縁が見苦しくなるという事態を生じず、綴じ具側には帯状の残片がきれいに揃って残るようなスケッチブックを提供する。【解決手段】端縁部１２に綴じ孔列２０を有する複数枚の画用紙１０が、綴じ孔列２０の綴じ孔２１に挿通された綴じリング３１を有する綴じ具３０によって綴じ合わされている。１枚１枚の画用紙１０に、綴じ孔列２０の形成箇所の近傍でその綴じ孔列２０に沿って延びる破断線４０を形成し、この破断線４０の形成箇所でその画用紙１０を破断することができるようになっている。破断線４０は、短い切り目が断続して延びるミシン目によって形成することが可能である。【選択図】図１
0003132319.tif 000002
【実用新案登録請求の範囲】
【請求項１】
端縁部に綴じ孔列を有する複数枚の画用紙が、上記綴じ孔列の綴じ孔に挿通された綴じリングを有する綴じ具によって綴じ合わされているスケッチブックであって、
上記画用紙に、綴じ孔列の形成箇所の近傍でその綴じ孔列に沿って延びる破断線が形成されていて、この破断線の形成箇所でその画用紙を破断することができるようになっていることを特徴とするスケッチブック。
【請求項２】
上記破断線は、短い切り目が断続して延びるミシン目である請求項１に記載したスケッチブック。
【考案の詳細な説明】
【技術分野】
【０００１】
本考案は、スケッチブック、詳しくは、綴じ具によって綴じ合わされている複数枚の画用紙を１枚ずつ破断して当該スケッチブックから切り離すことができるようになっているスケッチブックに関する。
【背景技術】
【０００２】
図３は従来のスケッチブックを開いて示した平面図、図４は画用紙を引きちぎるときの状態を示した説明図である。このスケッチブックは、端縁部１２に綴じ孔列２０を有する複数枚の画用紙１０が、綴じ孔列２０の綴じ孔２１に挿通された綴じリング３１を有する綴じ具３０によって綴じ合わされている。
【０００３】
一方、厚手の表表紙と裏表紙と共に複数枚の紙葉（画用紙）を綴じ具によって綴じ合わせたスケッチブックが公知であり（たとえば、特許文献１参照）、この特許文献１にも、図３に示したスケッチブックに類似する構成を備えたスケッチブックが示されている。
【０００４】
ところで、スケッチブックは、他のノート類に比べて厚手の画用紙１０を綴じ合わせたものであると共に、画用紙１０に描画を行った後では、その画用紙１０を使用済み用紙としてスケッチブックから取り外して保管したり廃棄したりすることが多々ある。そして、画用紙を１０をスケッチブックから取り外すときには、図４のように、綴じ具３０によって綴じ合わされている複数枚の画用紙１０の中から１枚を矢印Ｐのように引張って引き破ることが簡単であるので、そのようにすることが多々行われる。
【特許文献１】実用新案登録第３０８３７４２号公報（図１）
【考案の開示】
【考案が解決しようとする課題】
【０００５】
しかしながら、画用紙は、ノート類に用いられている薄手の用紙とは異なり、容易に破断せず、上記のように綴じ具３０によって綴じ合わされている画用紙１０を矢印Ｐのように引張って引きちぎると、綴じ孔列２０の形成箇所で画用紙が破れてしまってそのときに破れて生じた破れ片１３が綴じ具３０側に残ってしまって、その破れ片１３を取り除くのに手間がかかったり、取り外した画用紙１０の縁（破断箇所）１０ａがぎざぎざになって見苦しくなったりする。そのため、取り外した画用紙１０をたとえば揃えて保管するときには、その画用紙１０の破断箇所を鋏やナイフでまっすぐにきれいに切断する必要が生じて手間がかかる。
【０００６】
このように従来のスケッチブックでは、画用紙１０をスケッチブックから引きちぎって取り外すと、不揃いの破れ片１３が綴じ具３０側に詰まって残ってしまったり、取り外した画用紙１０の破断箇所がぎざぎざになって見苦しくなる。
【０００７】
そこで、本考案は、画用紙を容易にかつきれいな線が残るように破断することのできる対策を講じることによって、スケッチブックから取り外した画用紙の破断箇所が見苦しくなったり、画用紙を取り外したときに綴じ具側に不揃いの破れ片が詰まって残ったりすることのないスケッチブックを提供することを目的とする。
【課題を解決するための手段】
【０００８】
本考案に係るスケッチブックは、端縁部に綴じ孔列を有する複数枚の画用紙が、上記綴じ孔列の綴じ孔に挿通された綴じリングを有する綴じ具によって綴じ合わされている。そして、上記画用紙に、綴じ孔列の形成箇所の近傍でその綴じ孔列に沿って延びる破断線が形成されていて、この破断線の形成箇所でその画用紙を破断することができるようになっている。上記破断線は、短い切り目が断続して延びるミシン目であることが望ましい。
【０００９】
このように構成されているスケッチブックは、画用紙を引張って破断線の形成箇所で破断すると、その破断箇所の縁が破断線の形状と同じ形状（たとえば直線）になる。また、綴じ具側には、画用紙の残片が帯状になって破れることなく残る。そのため、スケッチブックから取り外した画用紙の破断箇所が見苦しくなったり、画用紙を取り外したときに綴じ具側に不揃いの破れ片が残ったりすることのないスケッチブックを提供することが可能になる。
【考案の効果】
【００１０】
以上のように、本考案によれば、画用紙を容易に取り外すことができ、しかも、取り外した画用紙の縁が見苦しくなくなるという事態を生じず、併せて、綴じ具側には帯状の残片がきれいに揃って残るためにその残片をいちいち取り外さなくても済むようになる。そのため、使い勝手に優れたスケッチブックを提供することが可能になる。
【考案を実施するための最良の形態】
【００１１】
図１は本考案の実施形態に係るスケッチブックを開いて示した平面図、図２は作用説明図である。
【００１２】
このスケッチブックは、端縁部１２に綴じ孔列２０を有する複数枚の画用紙１０が、綴じ孔列２０の綴じ孔２１に挿通された綴じリング３１を有する綴じ具３０によって綴じ合わされている点で、図３を参照して説明した従来例と同様の構成を有している。
【００１３】
このスケッチブックにおいて、従来例と異なる点は、綴じ具３０によって綴じ合わされている複数枚の画用紙１０…の１枚１枚に、綴じ孔列２０の形成箇所の近傍でその綴じ孔列２０に沿って延びるまっすぐな破断線４０が形成されていて、この破断線４０の形成箇所でその画用紙１０を破断することができるようになっている点だけである。破断線４０はたとえば短い切り目が断続して延びるミシン目によって形成することができる。また、破断線４０をまっすぐな線状のプレス跡によって形成することも可能である。
【００１４】
このスケッチブックにおいて、画用紙１０をスケッチブックから取り外すときには、図２のように、綴じ具３０によって綴じ合わされている複数枚の画用紙１０の中から１枚を矢印Ｐのように引張り、破断線４０に沿って引き破る。このようにすると、画用紙１０が破断線４０の形成箇所でまっすぐに容易に破断され、その破断箇所の縁１０ａが元の破断線４０の形状と同じ形状（図例では直線）になる。また、綴じ具３０側には、画用紙１０の残片１５が帯状になって破れることなく残る。そのため、スケッチブックから取り外した画用紙１０の破断箇所が見苦しくなったり、画用紙１０を取り外したときに綴じ具２０側に不揃いの破れ片が詰まって残ったりすることがなくなる。
【００１５】
本考案に係るスケッチブックにおいて、綴じ具３０は、１つ１つが独立しているリング状の綴じリング３１の列によって構成されていても、集合して螺旋形状を形作る綴じリングの列（すなわちコイル形）によって構成されていてもよい。また、画用紙１０の綴じ孔列２０の綴じ孔２１は図例のように四角形状である以外に、丸形状であっても、長孔形状にあってもよい。
【図面の簡単な説明】
【００１６】
【図１】本考案の実施形態に係るスケッチブックを開いて示した平面図である。
【図２】作用説明図である。
【図３】従来のスケッチブックを開いて示した平面図である。
【図４】従来のスケッチブックの画用紙を引きちぎるときの状態を示した説明図である。
【符号の説明】
【００１７】
１０  画用紙
２０  綴じ孔列
３０  綴じ具
３１  綴じリング
４０  破断線
【図１】
0003132319.tif 000003
【図２】
0003132319.tif 000004
【図３】
0003132319.tif 000005
【図４】
0003132319.tif 000006